(57)【要約】【課題】ブラシ部分の取り付け／取り外しを簡単化したヘアブラシを提供する。【解決手段】少なくとも一端に開口を有する挿入スロット１３が形成されているブラシ柄１０と、前記開口から挿入スロット１３に挿し込まれることによってブラシ柄１０に取り付けられるブラシユニット３０と、を具えているヘアブラシにおいて、一端が挿入スロット１３の中へ突出してブラシユニット３０を係止する係止位置と、前記一端が挿入スロット１３の中へ突出せずにブラシユニット３０を係止しない解除位置との間で移動可能にブラシ柄に１０取付けられている係止ブロック２１と、係止ブロック２１を前記解除位置側から前記係止位置側へ付勢する弾性ユニット２２とを有する弾性係止手段２０を更に具えている。【選択図】図２
0003208450.tif 000002
【実用新案登録請求の範囲】
【請求項１】
少なくとも一端に開口を有する挿入スロットが形成されているブラシ柄と、前記開口から前記挿入スロット内に挿し込まれることによって前記ブラシ柄に取り付けられるブラシユニットと、を具えているヘアブラシにおいて、
一端が前記挿入スロットの中へ突出して前記ブラシユニットを係止する係止位置と、前記一端が前記挿入スロットの中へ突出せずに前記ブラシユニットを係止しない解除位置との間で移動可能に前記ブラシ柄に取り付けられている係止ブロックと、
前記係止ブロックを前記解除位置側から前記係止位置側へ付勢する弾性ユニットと、を有する弾性係止手段を更に具えていることを特徴とするヘアブラシ。
【請求項２】
前記ブラシ柄には、
前記挿入スロットから前記係止ブロックの移動方向に沿って延伸する摺動スロットであって、前記摺動スロットの内部で前記係止ブロックが前記係止位置と前記解除位置との間での移動を行う、摺動スロットと、
前記係止ブロックの移動方向と略直交する方向に沿って延伸し、且つ前記摺動スロットと交差する制御スロットと、が更に形成されており、
前記弾性係止手段は、前記制御スロット内に挿し込まれて前記係止ブロックと係合して前記係止ブロックの前記係止位置と前記解除位置との間の移動を制御する制御ユニットを更に具えていることを特徴とする請求項１に記載のヘアブラシ。
【請求項３】
前記制御ユニットには、前記係止ブロックの移動方向における前記解除位置側に、前記摺動スロットから離れるにつれて前記解除位置側へ傾斜する係合斜面が形成されており、
前記係合斜面が前記係止ブロックと接触して前記摺動スロット側へ移動すると、前記係止ブロックを前記解除位置側へ押すことができ、そして前記係合斜面が前記摺動スロットから離れるように移動すると、前記係止ブロックは前記弾性ユニットの付勢力により前記係止位置側へ押されるように構成されていることを特徴とする請求項２に記載のヘアブラシ。
【請求項４】
前記ブラシ柄には、前記挿入スロットから前記係止ブロックの移動方向に沿って延伸する摺動スロットであって、前記摺動スロットの内部で前記係止ブロックが前記係止位置と前記解除位置との間での移動を行う、摺動スロットが形成されており、
前記弾性ユニットは前記摺動スロット内に取り付けられている圧縮コイルばねであり、
前記係止ブロックはボール状に形成されて前記圧縮コイルばねにより前記挿入スロット側に付勢されるように取り付けられていることを特徴とする請求項１に記載のヘアブラシ。
【請求項５】
前記弾性係止手段は、前記挿入スロットから間をあけて且つ前記挿入スロットと略平行するように前記ブラシ柄に形成されている回転軸を更に有し、
前記係止ブロックは、
前記回転軸に回転可能に枢支されている本体と、
前記本体から突出して前記本体の回転により一端が前記挿入スロットの中へ突出して前記ブラシユニットを係止する前記係止位置と、前記一端が前記挿入スロットの中へ突出せずに前記ブラシユニットを係止しない前記解除位置との間に移動できる係止アームと、
前記係止アームと異なる方向で前記本体から突出して前記ブラシ柄の外に露出している操作アームと、を有するように形成されており、
前記弾性ユニットは前記回転軸に取り付けられるねじりばねであり、前記ねじりばねは、その両端がそれぞれ前記ブラシ柄と前記操作アームとに当接して前記係止ブロックを前記係止位置に付勢することを特徴とする請求項１に記載のヘアブラシ。
【請求項６】
前記ブラシ柄には、前記挿入スロットから前記係止ブロックの移動方向に沿って延伸する摺動スロットであって、前記挿入スロットに面するばね設置面が形成されている摺動スロットと、
前記摺動スロットの延伸方向に沿って、両端がそれぞれ前記ばね設置面と前記ブラシ柄の表面に開口する制御スロットとが形成されており、
前記弾性ユニットは、一端が前記ばね設置面に当接するように前記摺動スロット内に取り付けられている圧縮コイルばねであり、
前記係止ブロックは、前記圧縮コイルばねの前記一端の反対側にある他端に取り付けられている本体と、前記本体から前記挿入スロット側へ延伸して前記係止位置では前記ブラシユニットを係止できる係止突起と、前記本体から前記圧縮コイルばねの内側を経由して前記制御スロットを挿通してから前記ブラシ柄の表面外に露出するまで延伸する操作突起と、前記操作突起の先端に取り付けられている操作リングと、を有するように構成されていることを特徴とする請求項１に記載のヘアブラシ。
【請求項７】
前記ブラシ柄は、ハンドル部と、前記ハンドル部の一端に取付けられているヘッド部とにより組み合わされて構成されていると共に、
前記挿入スロットは、前記ハンドル部と前記ヘッド部との間に画成されており、
更に、前記ハンドル部のうちの、前記挿入スロットに臨む端面には、第１の切り込みが形成されており、そして前記ヘッド部のうちの、前記挿入スロットに臨む端面には、前記第１の切り込みに対応する第２の切り込みが形成されており、
前記第１の切り込みと前記第２の切り込みとにより、前記ブラシ柄の前記挿入スロットの隣に、前記挿入スロット内に挿し込まれる前記ブラシユニットの一端が露出する一つの凹部が画成されることを特徴とする請求項１〜請求項６のいずれか一項に記載のヘアブラシ。
【請求項８】
前記ブラシユニットは、前記挿入スロット内に挿し込まれる挿入端部と、前記挿入端部の反対側にあるブラシ端部とを有するように構成されており、
前記ブラシ端部には、互いに略平行して横一列に並んでいる複数の板状のブラシブレードが配置されていることを特徴とする請求項１〜請求項７のいずれか一項に記載のヘアブラシ。
【請求項９】
前記ブラシユニットは、前記挿入スロット内に挿し込まれる挿入端部と、前記挿入端部の反対側にあるブラシ端部とを有するように構成されており、
前記ブラシ端部には、同一の平面に配置されていると共に横一列に並んでいる複数の板状のブラシブレードが配置されていることを特徴とする請求項１〜請求項７のいずれか一項に記載のヘアブラシ。
【請求項１０】
前記ブラシユニットは、前記挿入スロット内に挿し込まれる係止端部と、前記係止端部の反対側にあるブラシ端部とを有するように構成されており、
前記ブラシ端部には、横一列に並んでいる複数のブラシピンが配置されていることを特徴とする請求項１〜請求項７のいずれか一項に記載のヘアブラシ。
【考案の詳細な説明】
【技術分野】
【０００１】
本考案はヘアブラシに関し、特にブラシ部分が取り外し可能なヘアブラシに関する。
【背景技術】
【０００２】
ブラシ部分が取り外し可能な従来のヘアブラシに関しては、例えば下記の特許文献に記載されるものが挙げられる。前記従来のヘアブラシはペット用のもので、所定の軸線に沿って延伸し、一端に開口が形成されている中空棒状の柄部と、前記柄部の前記一端に接合されるスリーブと、前記軸線を回転軸として回転可能に前記スリーブ内に配置される内歯車と、前記スリーブに可動的に取付けられていると共に、その動きで前記内歯車の回転を制御する制御部材と、ブラシ本体及び前記ブラシ本体から延伸し、前記スリーブを経由して前記柄部に挿し込む棒状の接続棒を有しているブラシユニットと、を具えている。
【０００３】
前記柄部の前記一端の内周面においては互いに前記軸線を中心とする所定の角度間隔を空けて複数の第１の内歯が形成されており、前記スリーブ内に配置される前記内歯車には、前記複数の第１の内歯に対応して互いに前記軸線を中心とする前記角度間隔を空けて複数の第２の内歯が形成されている。
【０００４】
また、前記スリーブは、前記柄部の前記開口と連通するように前記柄部に固定されていると共に、前記開口の周縁方向に沿って延伸する摺動スロットが形成されている。前記制御部材は前記摺動スロットを挿通してから前記内歯車に取付けられていると共に、前記制御部材の前記摺動スロットに沿った移動により、前記内歯車の前記軸線を中心とする回転を駆動することができる。
【０００５】
前記ブラシユニットの前記接続棒には、前記接続棒の前記ブラシ本体から延伸する先端部分に配置されていて前記複数の第１の内歯及び前記複数の第２の内歯と噛み合うことができる複数の外歯を有する係合部と、前記係合部の前記ブラシ本体側にあって円滑な表面を有している空転部とを有している。
【０００６】
この構成により、前記制御部材の前記摺動スロットに沿った移動により、前記内歯車を前記内歯車の複数の第２の内歯が前記柄部が有する前記複数の第１の内歯と一致する位置に回転される場合、前記ブラシユニットの前記接続棒は、前記空転部が前記内歯車の内側に位置するまで前記係合部が前記複数の第２の内歯及び前記複数の第１の内歯と噛み合いながら前記柄部内に進入することができる。
【０００７】
そして前記空転部が前記内歯車の内側に位置する状態において、前記制御部材の前記摺動スロットに沿った移動により、前記内歯車が、前記内歯車の複数の第２の内歯が前記柄部が有する前記複数の第１の内歯と一致しない位置に回転されると、前記ブラシユニットの前記接続棒は前記係合部の複数の外歯が前記内歯車の複数の第２の内歯とぶつかるため、前記ブラシユニットの前記接続棒は前記柄部に係合するようになる。
【先行技術文献】
【特許文献】
【０００８】
【特許文献１】台湾実用新案登録第Ｍ３７０３３１号
【考案の概要】
【考案が解決しようとする課題】
【０００９】
しかし、前記従来のヘアブラシでは、制御部材を動かさなければ、前記ブラシ部を前記柄部に取付けることも取り外すこともできない。
【００１０】
上記問題点に鑑みて、本考案は、ブラシ部分の取り付け／取り外しを簡単化したヘアブラシの提供を目的とする。
【課題を解決するための手段】
【００１１】
上記目的を達成すべく、本考案のヘアブラシは、少なくとも一端に開口を有する挿入スロットが形成されているブラシ柄と、前記開口から前記挿入スロットに挿し込まれることによって前記ブラシ柄に取り付けられるブラシユニットと、を具えているヘアブラシにおいて、一端が前記挿入スロットの中へ突出して前記ブラシユニットを係止する係止位置と、前記一端が前記挿入スロットの中へ突出せずに前記ブラシユニットを係止しない解除位置との間で移動可能に前記ブラシ柄に取付けられている係止ブロックと、前記係止ブロックを前記係止位置に付勢する弾性ユニットとを有する弾性係止手段を更に具えている。
【考案の効果】
【００１２】
上記構成によれば、本考案のヘアブラシは、前記弾性係止手段の前記係止ブロックが、前記弾性ユニットの付勢によって前記係止位置に付勢されて前記ブラシユニットを係止することができ、そして外力などを前記弾性ユニットによる付勢力に抗するよう印加して前記係止ブロックを前記解除位置に移動すると前記ブラシユニットを取り外すことができるので、前記ブラシユニットの取り付け／取り外しを簡単化したヘアブラシを提供することができる。
【図面の簡単な説明】
【００１３】
【図１】本考案のヘアブラシの第１の実施形態が示されている斜視図である。
【図２】本考案の第１の実施形態における構造が示されている分解斜視図である。
【図３】本考案の第１の実施形態の係止状態が示されている側面断面図である。
【図４】図３におけるIV‐IV線に沿った断面図である。
【図５】本考案の第１の実施形態の解除状態が示されている側面断面図である。
【図６】本考案のヘアブラシの第２の実施形態の係止状態が示されている側面断面図である。
【図７】本考案の第２の実施形態の解除状態が示されている側面断面図である。
【図８】本考案のヘアブラシの第３の実施形態の係止状態が示されている側面断面図である。
【図９】本考案の第３の実施形態の解除状態が示されている側面断面図である。
【図１０】本考案のヘアブラシの第４の実施形態の係止状態が示されている側面断面図である。
【図１１】本考案の第４の実施形態の解除状態が示されている側面断面図である。
【図１２】本考案のヘアブラシの第５の実施形態及びブラシユニットの第１の変化例が示されている斜視図である。
【図１３】本考案の第５の実施形態におけるブラシユニットの第２の変化例が示されている斜視図である。
【図１４】本考案の第５の実施形態におけるブラシユニットの第３の変化例が示されている斜視図である。
【図１５】本考案の第５の実施形態におけるブラシユニットの第４の変化例が示されている斜視図である。
【考案を実施するための形態】
【００１４】
（第１の実施形態：図１〜図５）
以下では図１〜図５を参照しながら、本考案のヘアブラシを例示する第１の実施形態について詳しく説明する。図１は本考案の第１の実施形態が示されている斜視図であり、図２は本考案の第１の実施形態における構造が示されている分解斜視図であり、図３は本考案の第１の実施形態の係止状態が示されている側面断面図であり、図４は図３におけるIV‐IV線に沿った断面図であり、そして図５は本考案の第１の実施形態の解除状態が示されている側面断面図である。
【００１５】
本考案のヘアブラシはペットの毛を梳かすものであり、ブラシ柄１０と、ブラシ柄１０に取り付けられるブラシユニット３０と、ブラシ柄１０に取付けられる弾性係止手段２０と、を具えている。
【００１６】
図２に示されているようにブラシ柄１０は、手で持ち易いように略棒状に形成されたハンドル部１１と、ハンドル部１１の一端に取付けられている略板状のヘッド部１２とにより組み合わされて構成されていると共に、ハンドル部１１とヘッド部１２との間に、ブラシ柄１０を貫通して両端に第１の開口１３１及び第２の開口１３２をそれぞれ有する挿入スロット１３が画成されている。
【００１７】
図２と図３に示されているように、ハンドル部１１は、挿入スロット１３が画成される一端において前記挿入スロット１３に面する端面１１７を有している。またハンドル部１１には、前記一端から端面１１７と略直交する移動方向Ｘに沿って延伸する摺動スロット１１６と、移動方向Ｘと略直交する直交方向Ｙに沿って延伸し、且つ摺動スロット１１６と交差するようにハンドル部１１を貫通する制御スロット１１５と、端面１１７において互いに離間して凹設される２つの螺合スロット１１８と、が形成されている。また、ハンドル部１１を貫通する制御スロット１１５の一端の開口の周縁の隣りに、前記制御スロット１１５の延伸方向と略直交する逆止面１１９が形成されている。
【００１８】
ヘッド部１２には、挿入スロット１３に面する板面１２２と、板面１２２において凹陥するように形成されてハンドル部１１の端面１１７と共に挿入スロット１３を画成する凹陥部１２１と、凹陥部１２１の両側においてそれぞれハンドル部１１の各螺合スロット１１８に嵌め込むことができるように突起する２つの螺合突起１２８と、凹陥部１２１においてハンドル部１１の摺動スロット１１６に向かって開口するように形成された窪み１２０と、が設けられている。また、図１に示されているようにヘッド部１２は、２つのネジ１６が各螺合突起１２８にそれぞれ介して各螺合スロット１１８に捻じ込まれることで、ハンドル部１１に取付けられることができる。
【００１９】
図２に示されているように、ブラシユニット３０は、ブラシ柄１０の挿入スロット１３より幅広く形成されると共に、毛を梳かすことができる櫛状のブラシ端部３２と、ブラシ端部３２の反対側において係止孔３１１が貫通するように形成されていると共に、第１の開口１３１から挿入スロット１３に挿し込まれることができる係止端部３１と、を有している。この構造によれば、図１に示されているようにブラシユニット３０は、係止端部３１が挿入スロット１３に挿し込まれると共にブラシ端部３２が露出するように、ブラシ柄１０に取り付けられることができる。
【００２０】
図２〜図５に示されているように弾性係止手段２０は、ハンドル部１１の摺動スロット１１６内に配置されていると共に、ヘッド部１２に臨む側の先端２１２（一端）が挿入スロット１３内に突出する係止位置Ｐ１、及び前記先端２１２が挿入スロット１３内に突出しない解除位置Ｐ２との間で移動可能に取付けられている係止ブロック２１と、係止ブロック２１を解除位置Ｐ２側から係止位置Ｐ１側へ付勢する弾性ユニット２２と、制御スロット１１５内に挿し込まれて係止ブロック２１と係合して係止ブロック２１の係止位置Ｐ１と解除位置Ｐ２との間の移動を制御する制御ユニット２３と、を有している。また、本実施形態において、弾性ユニット２２として圧縮バネが使われている。
【００２１】
図２と図４に示されているように、係止ブロック２１は略棒状に形成されていると共に、前記先端２１２と、前記先端２１２の反対側にある連結端２１４と、先端２１２と連結端２１４との間にある本体２１３とを有している。この実施形態において、本体２１３には２つの係合溝２１０が移動方向Ｘ及び直交方向Ｙのいずれとも略直交する側面方向Ｚに沿って前記本体２１３の両側において凹陥するように形成されている。更に、この実施形態において、係止ブロック２１の先端２１２には、挿入スロット１３の第１の開口１３１（この実施形態では図３、図５における下側に位置する）から離れるにつれてヘッド部１２側へ傾斜する受動斜面２１２１が形成されている。
【００２２】
制御ユニット２３は、ゴムなど可撓性を有する材料からなるものである。そして図２と図３に示されているように、制御ユニット２３には、ハンドル部１１の制御スロット１１５から外部へ露出できるボタン２３１と、ボタン２３１から二股状に延伸して係止ブロック２１を挟みながら前記係止ブロック２１に形成された２つの係合溝２１０をそれぞれ通過する２つの係合足２３２と、が形成されている。２つの係合足２３２は、それぞれボタン２３１に隣接する付け根部の、係止ブロック２１の移動方向Ｘにおける解除位置Ｐ２側（即ち、連結端２１４側）に、摺動スロット１１６から離れるにつれて解除位置Ｐ２側（連結端２１４側）へ傾斜する係合斜面２３３と、側面方向Ｚにおいて１つの係合足２３２から外側、即ち他の一つの係合足２３２から離れる側へ突起すると共に、逆止面１１９に当接することができるアンカー２３４と、が形成されている。
【００２３】
また、各係合斜面２３３は、例えば使用者からの外力によりボタン２３１が制御スロット１１５に沿って係止ブロック２１側に押し込まれると、各係合斜面２３３が係止ブロック２１の連結端２１４のボタン２３１に臨む側の係合溝２１０に隣接する端縁と接触しながら、弾性ユニット２２による付勢力に抗して前記連結端２１４並びに係止ブロック２１全体を解除位置Ｐ２側に押し込むことができる。
そしてアンカー２３４は、弾性ユニット２２による付勢力に抗してボタン２３１を係止ブロック２１側に押し込む外力が無くなって、弾性ユニット２２による付勢力で前記係止ブロック２１が係止位置Ｐ１に押し戻されても、逆止面１１９に当接して制御ユニット２３が制御スロット１１５から抜け落ちることを防ぐために形成されている。
【００２４】
次に本考案のヘアブラシの使用方法について説明する。まず図３に示されているように、ヘアブラシがペットの毛を梳かすことができる状態であるブラシユニット３０の係止状態、即ち、弾性係止手段２０により係止ブロック２１が係止位置Ｐ１に位置されていてブラシユニット３０が係止されている状態から、使用者が例えば、ブラシユニット３０の清掃や手入れ、または別のブラシユニット３０と取り替えようとする場合に、制御ユニット２３のボタン２３１をハンドル部１１の制御スロット１１５内へ押し込むと、図４に示されているように、各係合足２３２に続いて各係合斜面２３３が係止ブロック２１の各係合溝２１０に進入しながら、連結端２１４のボタン２３１に臨む側の係合溝２１０に隣接する端縁に当接して係止ブロック２１を解除位置Ｐ２へ押し込むことで、係止ブロック２１の先端２１２もブラシ柄１０の挿入スロット１３から摺動スロット１１６内に引っ込まれて挿入スロット１３内へ突出しなくなり、そしてブラシユニット３０も係止しなくなるので、前記ブラシユニット３０をブラシ柄１０にある第１の開口１３１から取り外すことができる。
【００２５】
そして、ブラシ柄１０にブラシユニット３０を取付けようとする場合、使用者は、制御ユニット２３のボタン２３１を押しっぱなしにして解除状態を維持しつつ、ブラシユニット３０の係止端部３１をブラシ柄１０の挿入スロット１３にある第１の開口１３１に挿し込んでからボタン２３１を離すと、弾性ユニット２２からの付勢力によって係止ブロック２１が係止位置Ｐ１に戻ると共に、その先端２１２が係止孔３１１を挿通し、更にヘッド部１２の窪み１２０へ進入してブラシユニット３０をブラシ柄１０に係止することができる。
【００２６】
なお、ブラシ柄１０にブラシユニット３０を取付けようとする場合、使用者は力をいれてブラシユニット３０の係止端部３１を挿入スロット１３の第１の開口１３１から挿入スロット１３に挿し込めば、弾性ユニット２２による付勢力で係止位置Ｐ１に位置する弾性係止手段２０の係止ブロック２１は、先端２１２に形成された受動斜面２１２１がブラシユニット３０の係止端部３１に当接されることにより、解除位置Ｐ２へ押し込まれ、そして係止端部３１が更に挿入スロット１３内に挿し込まれて係止端部３１に形成された係止孔３１１が摺動スロット１１６に隣接する位置、即ち係止ブロック２１の先端２１２が係止孔３１１を経由してブラシユニット３０の係止端部３１を挿通できる位置に到達すると、弾性ユニット２２からの付勢力によって係止ブロック２１の先端２１２が係止孔３１１を挿通するようになるので、制御ユニット２３のボタン２３１を押さなくてもブラシユニット３０をブラシ柄１０に係合することができる。
【００２７】
言い換えれば、この実施形態のヘアブラシは、使用者が制御ユニット２３のボタン２３１を押せばブラシユニット３０をブラシ柄１０から取り外すことができ、そしてブラシユニット３０の係止端部３１を挿入スロット１３の第１の開口１３１に挿し込めばブラシユニット３０をブラシ柄１０に取付けることができるので、極めて簡単且つ直感的な操作でブラシユニットの取り付け／取り外しを行うことができる。
【００２８】
（第２の実施形態：図６、図７）
以下では図６、図７を参照しながら、本考案のヘアブラシを例示する第２の実施形態について詳しく説明する。図６は本考案の第２の実施形態の係止状態が示されている側面断面図であり、そして図７はその第２の実施形態の解除状態が示されている側面断面図である。
【００２９】
本考案の第２の実施形態は、前記第１の実施形態と多く共通しているが、ブラシ柄１０ａのヘッド部１２ａにある板面１２２ａは平面状に形成されており、ハンドル部１１ａには摺動スロット１１６ａのみが形成されており、そして弾性係止手段２０ａは、摺動スロット１１６ａ内に取付けられる弾性ユニット２２ａと、ボール状に形成される係止ブロック２１ａと、のみで構成される点において異なっている。なお、前記第１の実施形態と共通する構造は同じ符号を付けて詳しい説明を省略する。
【００３０】
更に図６に示されるように、ボール状に形成された本考案の第２の実施形態における係止ブロック２１ａは、半径が移動方向Ｘにおいてブラシ柄１０ａの挿入スロット１３ａの幅より広く形成されている。この構造によれば、使用者は、ブラシ柄１０ａとの係止状態におけるブラシユニット３０を、挿入スロット１３ａから引きずり出すと、図７に示されているように、ブラシユニット３０の係止端部３１がボール状の係止ブロック２１ａの表面に沿って係止ブロック２１ａを摺動スロット１１６ａ内に押し込むので、ブラシ柄１０ａとの係合を解除して簡単に取り外せる。一方、ブラシユニット３０をブラシ柄１０ａに取り付ける場合では、ブラシユニット３０を挿入スロット１３ａに挿し込むと、係止端部３１も係止ブロック２１ａの前記表面に沿って係止ブロック２１ａを摺動スロット１１６ａ内に押し込み、そして係止孔３１１と摺動スロット１１６ａとの互いに開口が一致するようになると、係止ブロック２１ａが係止孔３１１に嵌まり込んでヘッド部１２ａの板面１２２ａに当接しながら、ブラシ柄１０ａを係合することができる。即ち、この第２の実施形態においても、ブラシユニット３０を挿入スロット１３ａに挿し込む、または引き出すという簡単な操作でブラシ柄１０に取り付け、または取り外すことができる。
【００３１】
（第３の実施形態：図８、図９）
以下では図８、図９を参照しながら、本考案のヘアブラシを例示する第３の実施形態について詳しく説明する。図８は本考案の第３の実施形態の係止状態が示されている側面断面図であり、そして図９はその第３の実施形態の解除状態が示されている側面断面図である。
【００３２】
本考案の第３の実施形態は、前記第１や第２の実施形態と比較すると、弾性係止手段２０ｂがブラシ柄１０ｂのハンドル部１１ｂではなくヘッド部１２ｂ側に配置されているところが異なっている。なお、前記第１の実施形態と共通する構造は同じ符号を付けて詳しい説明を省略する。
【００３３】
即ち第３の実施形態において、ヘッド部１２ｂには、ブラシ柄１０ｂの挿入スロット１３ｂと連通する枢支スロット１２５と、枢支スロット１２５から挿入スロット１３ｂとの反対側に向かってブラシ柄１０ｂ外まで貫通される制御スロット１２６と、が形成されており、そして弾性係止手段２０ｂは、挿入スロット１３ｂから間を空けて且つ挿入スロット１３ｂと略平行するようにヘッド部１２ｂの枢支スロット１２５に形成されている回転軸２４と、回転軸２４に回転可能に枢支される係止ブロック２１ｂと、回転軸２４に取付けられる弾性ユニット２２ｂと、を有している。
【００３４】
係止ブロック２１ｂは、回転軸２４に回転可能に枢支されている本体２１３ｂと、本体２１３ｂから突出する係止アーム２１５と、係止アーム２１５と異なる方向で本体２１３ｂから突出すると共に、制御スロット１２６を経由してブラシ柄１０ｂ外に露出している搖動可能な操作アーム２１６とを有するように形成されている。また、係止アーム２１５は、本体２１３ｂの回転により先端が挿入スロット１３ｂの中へ突出すると共に、ブラシユニット３０の係止孔３１１に進入してブラシユニット３０を係止する係止位置Ｐ１ｂ（図８参照）と、前記先端が枢支スロット１２５内に引っ込んで挿入スロット１３ｂの中へ突出せず、ブラシユニット３０を係止しない解除位置Ｐ２ｂ（図９参照）との間で移動することができる。更に係止アーム２１５は、ブラシユニット３０の係止孔３１１に対する回転による出入りが順調に行えるように、先端が曲面状に形成されている。一方、弾性ユニット２２ｂは、回転軸２４に取付けられ、両端がそれぞれブラシ柄１０ｂと操作アーム２１６とに当接して係止ブロック２１ｂを係止位置Ｐ１ｂに付勢するねじりばねである。
【００３５】
この構造によれば、使用者は、図８に示されているように、係止状態におけるブラシユニット３０に対し、係止ブロック２１ｂの操作アーム２１６を弾性ユニット２２ｂの付勢方向の逆方向へ動かす（図８中の上方向）と、図９に示されているように、係止ブロック２１ｂが解除位置Ｐ２ｂに移動すると共に、係止アーム２１５も挿入スロット１３ｂから枢支スロット１２５に移ってその係止を解除するので、ブラシユニット３０をブラシ柄１０ｂから簡単に取り外せることができる。
【００３６】
一方、ブラシユニット３０をブラシ柄１０ｂに取り付ける場合では、操作アーム２１６を解除位置Ｐ２ｂに維持しながらブラシユニット３０の係止端部３１を係止アーム２１５がブラシユニット３０に形成された係止孔３１１に進入できる位置まで挿入スロット１３ｂに挿し込んでから、操作アーム２１６を離すと、図９に示されているように、弾性ユニット２２ｂの付勢力によって係止ブロック２１ｂが係止位置Ｐ１ｂに移動すると共に、係止アーム２１５も係止孔３１１に進入してハンドル部１１ｂの端面１１７ｂと共に係止端部３１を係止するので、ブラシユニット３０をブラシ柄１０ｂに簡単に取り付けることができる。
【００３７】
（第４の実施形態：図１０、図１１）
以下では図１０、図１１を参照しながら、本考案のヘアブラシを例示する第４の実施形態について詳しく説明する。図１０は本考案の第４の実施形態の係止状態が示されている側面断面図であり、そして図１１はその第４の実施形態の解除状態が示されている側面断面図である。
【００３８】
本考案の第４の実施形態は、前記第３の実施形態と同じく弾性係止手段２０ｃがブラシ柄１０ｃのヘッド部１２ｃ側に配置されているが、弾性係止手段２０ｃ並びに前記弾性係止手段２０ｃに対応するヘッド部１２ｃの構造が異なっている。なお、前記第３の実施形態と共通する構造は同じ符号を付けて詳しい説明を省略する。
【００３９】
この第４の実施形態におけるブラシ柄１０ｃのヘッド部１２ｃには、挿入スロット１３ｃから係止ブロック２１ｃの移動方向Ｘに沿って延伸し、且つ挿入スロット１３ｃに面するばね設置面１２３が形成されている摺動スロット１２７と、摺動スロット１２７の延伸方向に沿って、両端がそれぞればね設置面１２３とヘッド部１２ｃの表面に開口する制御スロット１２６と、が形成されている。
【００４０】
弾性ユニット２２ｃは、一端がばね設置面１２３に当接するように摺動スロット１２７内に取付けられている圧縮コイルばねである。一方、係止ブロック２１ｃは、弾性ユニット２２ｃの前記一端の反対側にある他端に取付けられている本体２１３ｃと、本体２１３ｃから挿入スロット１３側へ延伸する係止突起２１７と、本体２１３ｃから圧縮コイルばねである弾性ユニット２２ｃの内側を経由して制御スロット１２６を挿通してから、ヘッド部１２ｃの表面外に露出するまで延伸する操作突起２１８と、操作突起２１８の先端に取付けられている操作リング２１９と、を有するように構成されている。また、係止突起２１７は、係止位置Ｐ１ｃ（図１０参照）において、ブラシユニット３０の係止孔３１１を経由してハンドル部１１ｂの端面１１７ｂに当接することでブラシユニット３０をブラシ柄１０ｃに係止でき、一方、解除位置Ｐ２ｃ（図１１参照）において、摺動スロット１２７内に引っ込んでブラシユニット３０を係止しないように形成されている。
【００４１】
この構造によれば、使用者は、係止状態におけるブラシユニット３０に対し、露出している操作リング２１９をヘッド部１２ｃから離れる方向へ引っ張る（図１０中の左側）と、図１１に示されているように、係止ブロック２１ｃが挿入スロット１３ｃからばね設置面１２３に向かって移動すると共に、その係止突起２１７もブラシユニット３０の係止孔３１１から離れるので、その係止を解除してブラシ柄１０ｃから簡単に取り外せることができる。
【００４２】
一方、ブラシユニット３０をブラシ柄１０ｃに取り付ける場合では、操作リング２１９を解除位置Ｐ２ｃに維持しながら、ブラシユニット３０の係止端部３１を係止突起２１７が前記ブラシユニット３０に形成された係止孔３１１に進入できる位置まで挿入スロット１３ｃに挿し込んでから操作リング２１９を離すと、図１０に示されているように、弾性ユニット２２ｃの付勢力によって係止ブロック２１ｃが挿入スロット１３ｃに移動すると共に、その係止突起２１７もブラシユニット３０の係止孔３１１に進入してハンドル部１１ｂの端面１１７ｂに当接するので、ブラシユニット３０をブラシ柄１０ｃに簡単に取り付けることができる。
【００４３】
更に、上記各実施形態に使用されるブラシユニット３０のブラシ端部３２は、いずれも毛を梳かすことができる櫛状に形成されているが、以下では図１２〜図１５を参照しながら、本考案のヘアブラシを例示する第５の実施形態、及びブラシ端部３２の他の変化例について詳しく説明する。
【００４４】
（第５の実施形態：図１２〜図１５）
図１２は本考案の第５の実施形態及びブラシユニットの第１の変化例のブラシユニット３０ａが示されている斜視図である。
【００４５】
図示されているように、この第５の実施形態におけるハンドル部１１ｄの挿入スロット１３ｄに臨む端面１１７ｄにおいて第２の開口１３２ｄに臨む側には、第１の切り込み１１４が形成されており、一方、ヘッド部１２ｄの挿入スロット１３ｄに臨む端面である板面１２２ｄにおいて第２の開口１３２ｄに臨む側には、第１の切り込み１１４に対応する溝状の第２の切り込み１２４が形成されている。更に、第１の切り込み１１４と第２の切り込み１２４とにより、ブラシ柄１０ｄの挿入スロット１３ｄの隣に、前記挿入スロット１３ｄに挿し込まれるブラシユニット３０ａの一端、即ち係止端部３１ａの先端が露出する一つの凹部１５が画成されている。この第５の実施形態の構造によれば、使用者が制御ユニット２３で係止ブロック２１を解除位置Ｐ２に移動させた後では、凹部１５から露出する係止端部３１ａを押すことでブラシユニット３０ａをブラシ柄１０ｄから取り外すことができる。
【００４６】
また、図１２に示されているように、この第１の変化例におけるブラシユニット３０ａのブラシ端部３２ａには、幅方向（図１２における左上‐右下方向）において互いに離間し且つ略平行して横一列に並んでいる複数の板状のブラシブレードが配置されており、縺れている毛を刈り込むことができる。
【００４７】
更に、図１３はブラシユニットの第２の変化例であるブラシユニット３０ｂが示されている斜視図であり、図１４その第３の変化例であるブラシユニット３０ｃが示されている斜視図であり、図１５はその第４の変化例であるブラシユニット３０ｄが示されている斜視図である。
【００４８】
図１３に示されているように、第２の変化例におけるブラシユニット３０ｂのブラシ端部３２ｂには、幅方向（図１３における左上‐右下方向）において横一列に並んでいる複数のブラシピンが配置されており、毛を広げて梳すことができる。
【００４９】
図１４に示されているように、第３の変化例におけるブラシユニット３０ｃのブラシ端部３２ｃには、幅方向（図１４における左上‐右下方向）において互いに隣接し且つ略平行して横一列に並んでいる複数の板状のブラシブレードが配置されており、図１２に示される第１の変化例におけるブラシユニット３０ａよりも密集して配置されていると共に、各ブレードが第１の変化例よりも短く形成されているため、前記第１の変化例より細密な刈込効果を発揮できる。
【００５０】
そして図１５に示されているように、第４の変化例におけるブラシユニット３０ｄのブラシ端部３２ｄには、幅方向（図１５における左上‐右下方向）において同一の平面に配置されていると共に横一列に並んでいる複数の板状のブラシブレードが配置されており、毛を束ねてとかすことができる。
【００５１】
以上の各実施形態によれば、本考案のヘアブラシは、弾性係止手段２０の係止ブロック２１が、弾性ユニット２２の付勢によって係止位置Ｐ１に付勢されてブラシユニット３０を係止することができ、そして外力などが弾性ユニット２２による付勢力に抗するように印加されて前記係止ブロック２１を解除位置Ｐ２に移動するとブラシユニット３０を取り外すことができる構造なので、ブラシユニット３０の取り付け／取り外しを簡単化することができる。
【００５２】
以上、本考案の好ましい実施形態を説明したが、本考案はこれに限定されるものではなく、その要旨を逸脱しない範囲で種々変更可能である。
【産業上の利用可能性】
【００５３】
上記構成によれば、本考案のヘアブラシは、その要であるブラシユニット３０が、ブラシ柄１０から取り外して取り替え可能であるので、弾性係止手段２０付きのブラシ柄１０と個別に販売したり、または他種構造のブラシユニット３０を追加販売したりすることも可能である。
【符号の説明】
【００５４】
１０、１０ａ、１０ｂ、１０ｃ、１０ｄ  ブラシ柄
１１、１１ａ、１１ｂ、１１ｃ、１１ｄ  ハンドル部
１１４                                第１の切り込み
１１５                                制御スロット
１１６、１１６ａ                      摺動スロット
１１７、１１７ｂ、１１７ｃ、１１７ｄ  端面
１１８                                螺合スロット
１１９                                逆止面
１２、１２ａ、１２ｂ、１２ｃ、１２ｄ  ヘッド部
１２０                                窪み
１２１                                凹陥部
１２２、１２２ａ、１２２ｂ            板面  
１２３                                ばね設置面
１２４                                第２の切り込み
１２６                                制御スロット
１２７                                摺動スロット
１２８                                螺合突起
１３、１３ａ、１３ｂ、１３ｃ、１３ｄ  挿入スロット
１３１、１３１ｄ                      第１の開口
１３２、１３２ｄ                      第２の開口
１５                                  凹部
２０、２０ａ、２０ｂ、２０ｃ          弾性係止手段
２１、２１ａ、２１ｂ、２１ｃ          係止ブロック
２１０                                係合溝
２１２                                先端
２１２１                              受動斜面
２１３、２１３ｂ、２１３ｃ            本体
２１４                                連結端
２１５                                係止アーム
２１６                                操作アーム
２１７                                係止突起
２１８                                操作突起
２１９                                操作リング
２２、２２ａ、２２ｂ、２２ｃ          弾性ユニット
２３                                  制御ユニット
２３１                                ボタン
２３２                                係合足
２３３                                係合斜面
２３４                                アンカー
２４                                  回転軸
３０、３０ａ、３０ｂ、３０ｃ、３０ｄ  ブラシユニット
３１                                  係止端部
３１１                                係止孔
３２、３２ａ、３２ｂ、３２ｃ、３２ｄ  ブラシ端部
Ｐ１、Ｐ１ｂ、Ｐ１ｃ                  係止位置
Ｐ２、Ｐ２ｂ、Ｐ２ｃ                  解除位置
Ｘ                                    移動方向
Ｙ                                    直交方向
Ｚ                                    側面方向
【図１】
0003208450.tif 000003
【図２】
0003208450.tif 000004
【図３】
0003208450.tif 000005
【図４】
0003208450.tif 000006
【図５】
0003208450.tif 000007
【図６】
0003208450.tif 000008
【図７】
0003208450.tif 000009
【図８】
0003208450.tif 000010
【図９】
0003208450.tif 000011
【図１０】
0003208450.tif 000012
【図１１】
0003208450.tif 000013
【図１２】
0003208450.tif 000014
【図１３】
0003208450.tif 000015
【図１４】
0003208450.tif 000016
【図１５】
0003208450.tif 000017